(57)【特許請求の範囲】
【請求項１】
２個一対のレール取付具を合体して、屋根上の突出体を挟持して屋根上に固定される屋根上取付具であって、
前記レール取付具は、前記突出体の一側方にあてがわれる押圧部と、該押圧部の上方に延設され、ボルト挿通孔を有した連結部と、該連結部の上端より外側方に折曲して延びる台板部、および該台板部の一側方に立設した、前記レール取付具に取り付けられるレールの幅方向の一方の外壁にあてがわれる押圧突片を有したレール設置部とを備え、前記連結部どうしを重ねてボルト、ナットで仮止めすることで、両レール取付具が該ボルトを軸として相互に回動し得るように合体されるようになっており、
前記連結部どうしを前記ボルト、前記ナットで連結、固定したときには、前記押圧部どうしは近接して前記突出体を挟持し得る一方、前記レール設置部どうしは、平面視における点対称位置に前記押圧突片どうしが平行となるように配されて前記レールを挟着し得ることを特徴とする屋根上取付具。
【請求項２】
請求項１において、
前記レールの前記外壁は、相互に近づくように上り傾斜している、屋根上取付具。
【請求項３】
請求項１または２において、
前記連結部における相対する前記連結部との連結面に、相互に嵌合し得る嵌合部が形成されている、屋根上取付具。
【請求項４】
請求項１〜３のいずれか１項において、
前記レール取付具どうしは同形状とされる、屋根上取付具。
【発明の詳細な説明】
【技術分野】
【０００１】
本発明は、２個一対のレール取付具を合体して、屋根上の突出体を挟持して屋根上に固定される屋根上取付具に関する。
【背景技術】
【０００２】
従来のこの種の屋根上取付具として、近年においては特許文献１のものが提案されている。また、一体型のものとして、特許文献２のものが提案されている。これらはいずれも、簡便な方法で屋根上取付具自体を屋根上に取り付けられるようになっている。
【先行技術文献】
【特許文献】
【０００３】
【特許文献１】特開２０１４−１９００２５号公報
【特許文献２】特開２０１３−２０４３４６号公報
【発明の概要】
【発明が解決しようとする課題】
【０００４】
しかしながら、特許文献１のものは、屋根上取付具のレール設置部にレールを取り付ける場合、ボルト止めや他の部材の付加、そのためのさらなる加工などが必要とされ、レール取り付けに長時間を要するおそれがある。また、特許文献２のものは、レールを簡単に取り付けられる構造となっているが、屋根上へのボルト締めとは別にさらなるボルト締めを行う必要がある。ようするに、この屋根上取付具では、屋根上取付具の屋根上への固定と、屋根上取付具へのレールの取り付けとを個別に、かつそれらを順番に行わなければならない。
【０００５】
本発明は、このような事情を考慮して提案されたもので、その目的は、屋根上取付具の屋根上への固定と、レールの屋根上取付具への取り付けとを手際よく短時間でできる屋根上取付具を提供することにある。
【課題を解決するための手段】
【０００６】
上記目的を達成するために、請求項１に記載の屋根上取付具は、２個一対のレール取付具を合体して、屋根上の突出体を挟持して屋根上に固定される屋根上取付具であって、レール取付具は、突出体の一側方にあてがわれる押圧部と、押圧部の上方に延設され、ボルト挿通孔を有した連結部と、連結部の上端より外側方に折曲して延びる台板部、および台板部の一側方に立設した、レール取付具に取り付けられるレールの幅方向の一方の外壁にあてがわれる押圧突片を有したレール設置部とを備え、連結部どうしを重ねてボルト、ナットで仮止めすることで、両レール取付具がボルトを軸として相互に回動し得るように合体されるようになっており、連結部どうしをボルト、ナットで連結、固定したときには、押圧部どうしは近接して突出体を挟持し得る一方、レール設置部どうしは、平面視における点対称位置に押圧突片どうしが平行となるように配されてレールを挟着し得ることを特徴とする。
【０００７】
請求項２に記載の屋根上取付具では、レールの前記外壁が相互に近づくように上り傾斜している。
【０００８】
請求項３に記載の屋根上取付具では、連結部における相対する連結部との連結面に、相互に嵌合し得る嵌合部が形成されている。
【０００９】
請求項４に記載の屋根上取付具では、レール取付具どうしは同形状とされる。
【発明の効果】
【００１０】
請求項１に記載の屋根上取付具によれば、上述した構成となっているため、屋根上取付具を屋根上の突出体へ取り付ける操作だけで、それと同時にレールを屋根上取付具のレール設置部に取り付けることができる。つまり、屋根上取付具の屋根上への固定と、屋根上取付具へのレールの取り付けとを手際よく短時間で行うことができる。
【００１１】
請求項２に記載の屋根上取付具によれば、レールの外壁は相互に近づくように上り傾斜した形状となっているので、２つの押圧突片でレールを挟み込めば、レールが抜け出る可能性はほとんどない。
【００１２】
請求項３に記載の屋根上取付具によれば、連結部における相対する連結部との連結面に相互に嵌合し得る嵌合部が形成されているため、レール取付具どうしの凹凸嵌合により、１箇所のボルト止めによる両部材の固定を補完でき、取り付け後の相互の回動を禁止することができる。
【００１３】
請求項４に記載の屋根上取付具によれば、レール取付具どうしが同形状とされるため、レール取付具の種類を１種とすることができ、部材の管理を容易にできる。
【図面の簡単な説明】
【００１４】
【図１】本発明の一実施形態に係る屋根上取付具の説明図である。（ａ）は屋根上取付具の分解正面図、（ｂ）は屋根上取付具の屋根への取付状態を示す正面図である。
【図２】（ａ）は屋根上取付具を構成するレール取付具が向き合った状態を示す平面図、（ｂ）は（ａ）の左側のレール取付具の左側面図、（ｃ）は同右側面図である。
【図３】（ａ）は屋根上取付具の屋根への取付状態を示す平面図、（ｂ）は同側面図である。
【図４】（ａ）は屋根上取付具の屋根への取付手順を示す正面図、（ｂ）は同正面図である。
【図５】本発明の他の実施形態に係る屋根上取付具の説明図である。（ａ）は屋根上取付具を構成するレール取付具の正面図、（ｂ）は同右側面図、（ｃ）は（ｂ）のＡ−Ａ線に対応した屋根上取付具の屋根への取付手順を示す縦断面図である。
【図６】本発明のさらに他の実施形態に係る屋根上取付具の説明図である。（ａ）は屋根上取付具の屋根への取付状態を示す正面図、（ｂ）は屋根上取付具の突出体への挟着構造を示す拡大部分平面図である。
【発明を実施するための形態】
【００１５】
以下に、本発明の実施の形態について、添付図面をもとに説明する。まず、以下の３種の実施形態に係る屋根上取付具の共通の基本構成について説明する。
【００１６】
これらの屋根上取付具１はいずれも、２個一対のレール取付具１０、１０を合体して、屋根上の突出体（ハゼ部４５、ボルト体４７など）を挟持して屋根上に固定される取付具である。
【００１７】
レール取付具１０は、突出体の一側方にあてがわれる押圧部１１と、押圧部１１の上方に延設され、ボルト挿通孔を有した連結部１３と、連結部１３の上端より外側方に折曲して延びる台板部１５ａ、および台板部１５ａの一側方に立設した、レール取付具１０に取り付けられるレール５の幅方向の一方の壁部５ｂにあてがわれる押圧突片１５ｂを有したレール設置部１５とを備え、連結部１３、１３どうしを重ねてボルト３１、ナット３２で仮止めすることで、両レール取付具１０、１０がボルト３１を軸として相互に回動し得るように合体されるようになっている。
【００１８】
そして、連結部１３、１３どうしをボルト３１、ナット３２で連結、固定したときには、押圧部１１、１１どうしは近接して突出体を挟持し得る一方、レール設置部１５、１５どうしは、平面視における点対称位置に押圧突片１５ｂ、１５ｂどうしが平行となるように配されてレール５を挟着し得るようになっている。
【００１９】
このような屋根上取付具１によれば、屋根上取付具１の屋根上の突出体への仮止めの段階で、両レール取付具１０、１０を相互に回動させることにより押圧突片１５ｂ、１５ｂ間を拡げることができ、その結果、レール５をレール設置部１５、１５に取り付けることができる。そして、ボルト３１、ナット３２の本締めにより、屋根上取付具１を屋根上へ固定でき、かつレール５を屋根上取付具１へ固定することができる。つまり、屋根上取付具１の屋根上への固定と、レール５の屋根上取付具１への取り付けとを手際よく短時間で行うことができる。
【００２０】
ついで、各実施形態について順次説明していく。
まず、図１〜図４に示した実施形態に係る屋根上取付具１について説明する。
【００２１】
この屋根上取付具１は、図１（ｂ）に示すように、折板屋根４０の上に取り付けられる取付具である。
【００２２】
この折板屋根４０は、山部４１と谷部４３とが交互に連続する屋根であって、複数の屋根材を山部４１の頂部４２においてハゼ連結してなる屋根である。なお、４９は折板屋根４０の形状を下方より保持する保持部材である。
【００２３】
屋根上取付具１は、折板屋根４０の頂部４２の上方に突出したハゼ部４５よりなる突出体に取り付け固定されるようになっている。この屋根上取付具１に取り付けられるレール５は、底部５ａと、その幅方向の両端から突出した壁部５ｂ、５ｂとを有してなり、両壁部５ｂ、５ｂは相互に近づくように上り傾斜し、その壁部５ｂ、５ｂ間に開口が形成されている（図３（ｂ）参照）。このレール５は、太陽電池パネルなどの屋根上に設置される物品を取り付けるために利用される。
【００２４】
屋根上取付具１は、図１（ａ）に示すように、同形状の略Ｓ字形の２つのレール取付具１０、１０をボルト３１、ナット３２止めにて合体してなる取付具である。なお、使用されるボルト３１の軸部３１ｂの基部（ボルト頭３１ａの裏面）には根角部３１ｃが形成されている。また、合体のためのその他の部材として、平ワッシャー３４、ばねワッシャー３５が用いられる。
【００２５】
それぞれのレール取付具１０、１０は、上述したように、押圧部１１、１１と連結部１３、１３とレール設置部１５、１５とを備えている。図１（ａ）に示すように、この屋根上取付具１は、同形状である両レール取付具１０、１０の一方を正面を向けて配置し、他方を背面を向けて配置して合体するものである。
【００２６】
押圧部１１は、コ字形つまりＳ字の下半分の形状をなし、屋根上のハゼ部４５の一側方に外面があてがわれる上向き突片１１ｂを挟持部１１ａの先端に有してなる（図１参照）。このコ字形の押圧部１１の開口が向き合うようにして、レール取付具１０、１０どうしは合体される。
【００２７】
連結部１３は、押圧部１１の上板の端部より起立した平板よりなり、中央にはボルト３１の根角部３１ｃが嵌合する角孔よりなるボルト挿通孔１３ａが開設されている（図１、図２（ａ）（ｂ）参照）。この連結部１３は、レール取付具１０、１０どうしの合体の際に重合、密着し、ボルト止めされる部位である。
【００２８】
レール設置部１５は、連結部１３の上端より外側方に折曲して延びる台板部１５ａと、台板部１５ａの一側方に立設した押圧突片１５ｂとを有してなる（図１、図２（ａ）（ｂ）参照）。台板部１５ａは平面視で略矩形である。押圧突片１５ｂは台板部１５ａの端部より鋭角的に上方に傾斜して突出している。レール取付具１０が合体すべく図１（ａ）のように向き合うと、図２（ｃ）に示したように、台板部１５ａの押圧突片１５ｂは点対称位置に平行に配置される。
【００２９】
この一対の押圧突片１５ｂ、１５ｂは、レール５を挟着した状態の平面図（図３（ａ）参照）に示すように、台板部１５ａ、１５ａに載せ置かれ設置されたレール５の幅方向の一方の外壁にあてがわれて、両側より押圧してレール５を挟着する。このように、台板部１５ａ、１５ａの上面は押圧突片１５ｂ、１５ｂでレール５を挟着できるような寸法となっている。図３（ｂ）にはレール５を挟着した状態の側面図を図示した。レール５の挟着状態において、両レール取付具１０、１０は、押圧部１１、１１どうしが屋根上のハゼ部４５を挟持することで、屋根上に固定される。
【００３０】
ついで、この屋根上取付具１の屋根上への固定および屋根上取付具１によるレール５の固定の手順について説明する。
【００３１】
まず、両レール取付具１０、１０を連結部１３、１３どうしの仮連結により合体し、図４（ａ）に示すように、屋根上にハゼ部４５を両側より挟むように載せ置く。この状態で、ボルト３１の軸部３１ｂを軸として、連結部１３、１３間にわずかに隙間を空けた状態で、連結部１３、１３の外面を相互に摺らせるように、図４（ｂ）に示すように押圧突片１５ｂ、１５ｂどうしが遠ざかる方向に両方または一方のレール取付具１０、１０を回動させる。
【００３２】
レール取付具１０、１０を図４（ｂ）に示した程度まで回動させると、押圧突片１５ｂ、１５ｂ間が拡がり、レール５の底部５ａの外面の幅寸法よりも大きくなったときに、その拡がった押圧突片１５ｂ、１５ｂ間に上方よりレールを押し入れる。その後、レール取付具１０、１０を元の位置まで戻し、ボルト３１、ナット３２を締めつけることで、押圧部１１、１１どうしがハゼ部４５をしっかりと両側より押圧して、図１（ｂ）に示すように屋根上取付具１が屋根上に固定される。このとき同時に、レール設置部１５、１５の押圧突片１５ｂ、１５ｂがレール５を挟着し、レール５が固定される（図１（ｂ）参照）。
【００３３】
こうして、屋根上取付具１は屋根上に取り付けられると同時に、レール５を固定することとなる。なお、長尺のレール５に対し、屋根上取付具１はハゼ部４５に沿って複数のものが配置される。そのため、複数の屋根上取付具１のそれぞれを、図４（ｂ）のような回動状態に保持して、レール５を取り付けることが望ましい。
【００３４】
このように、屋根上取付具１の屋根への取り付けと同時に、その屋根上取付具１にレール５を取り付けることもできるので、迅速なレール５の施工が可能となる。
【００３５】
また、レール５の壁部５ｂの外壁は上端が相互に近づくように上り傾斜した形状となっているため、屋根上取付具１を屋根上に固定した状態ではレール５を押圧突片１５ｂ、１５ｂ間に装着することはできないが、仮止め状態では、レール取付具１０、１０を上述したように回動させることで押圧突片１５ｂ、１５ｂ間を拡げることができ、そのためレール５をレール設置部１５、１５に容易に装着することができる。しかも、いったんレール５を装着した後に元に戻してボルト３１止めすれば、その後、レール５が上方に抜け出る可能性はほとんどない。
【００３６】
また、２つのレール取付具１０、１０は同形状であるため、屋根上取付具１に利用する部材として１種類の部材を準備すればよく、部材管理が簡便となる。もちろん、両レール取付具１０、１０が同形状でなくてもよいことは言うまでもない。
【００３７】
つぎに、本発明の他の実施形態に係る屋根上取付具について、図５を参照しながら説明する。
【００３８】
この屋根上取付具１は、図１に示した屋根上取付具１と、主たる形状は同じであるが、連結部１３、１３の外面のボルト挿通孔１３ａ、１３ａの両横の対称位置に凸部１３ｂと、その凸部１３ｂに嵌合し得る凹部１３ｃとを備えた点で相違する。
【００３９】
この屋根上取付具１は、図３に示したようにレール５をレール設置部１５、１５に設置した後、ボルト３１を螺進させていくと連結部１３、１３の外面どうしが近づき、ボルト３１、ナット３２を螺着することで凸部１３ｃは相手側の凹部１３ｃと嵌合し、凹部１３ｃは相手側の凸部１３ｂと嵌合する構造となっている
【００４０】
このように、本屋根上取付具１は、ボルト３１止めだけではなく、嵌合部により両レール取付具１０、１０どうしの合体を補完する構成となっているため、いったん両レール取付具１０、１０が屋根上に固定されると、その後、回動によるずれが発生する可能性は低い。
【００４１】
両レール取付具１０、１０を同形状とするためには、図５のように対称形状とすることが望ましい。たとえば、連結部１３、１３の外面に相互に嵌合し得る横方向に連続する連続凹凸を設けたものでもよい。また、対称形状とはならない他の嵌合部を設けてもよい。たとえば、連結部１３、１３の外面に相互に嵌合し得る上下方向に連続する連続凹凸を形成してもよい。
【００４２】
ついで、さらに他の実施形態に係る屋根上取付具について、図６を参照しながら説明する。
【００４３】
この屋根上取付具１が取り付けられる折板屋根４０は、隣接する両屋根材を山部４１で重ね、ボルト体４７で連結固定した重ね式の連設構造となっている。山部４１の頂部４２にはボルト体４７の軸部４７ａが突出し、そのボルト体４７が座金付きナット４８で固定してある。
【００４４】
この屋根上取付具１は、上記ボルト体４７よりなる突出体に固定される取付具であり、ボルト体４７の軸部４７ａを押圧部１１、１１どうしで挟持して固定されるようになっている。
【００４５】
押圧部１１の下部に形成された挟持部１１ａの形状が図１のものとは異なっている。なお、レール取付具１０の押圧部１１（挟持部１１ａ）以外の部位については図１のものと同形状、同構造であるため、それらの形状、構造については説明を割愛する。また、この屋根上取付具１の取り付け手順についても図１のものと概ね同様であるため、折板屋根４０に取り付けられた状態のみを図示し、取り付け手順の図示および説明は割愛する。
【００４６】
挟持部１１ａ、１１ａは、先端に向けてやや上方に傾斜している。これは、挟持部１１ａ、１１ａが座金付きナット４８との接触を回避し、確実にボルト体４７の軸部４７ａを挟持できるようにするためである。
【００４７】
挟持部１１ａの先端の中央には、ボルト体４７の軸部４７ａを係止するための係止凹部１１ｃが形成されている。係止凹部１１ｃの底部には、やや上方に切り起こされた係止爪１１ｄが形成されている。屋根上取付具１は、レール取付具１０、１０のボルト３１、ナット３２による締め付けによって、両押圧部１１、１１の両係止凹部１１ｃ、１１ｃがボルト体４７の軸部４７ａを挟持するとともに、係止爪１１ｄ、１１ｄが軸部４７ａのねじ溝に係止することで、ボルト体４７に固定されるようになっている。なお、ボルト体４７の軸部４７ａに対する固定構造は、係止凹部１１ｃによるものには限られず、種々の構造を採用することができる。
【符号の説明】
【００４８】
１          屋根上取付具
５          レール
１０        レール取付具
１１        押圧部
１３        連結部
１３ａ      ボルト挿通孔
１３ｂ      凸部（嵌合部）
１３ｃ      凹部（嵌合部）
１５        レール設置部
１５ａ      台板部
１５ｂ      押圧突片
３１        ボルト
３２        ナット
４０        折板屋根
４２        頂部
４５        ハゼ部（突出体）
４７        ボルト体（突出体）
【要約】      （修正有）【課題】屋根上取付具の屋根上への固定と、屋根上取付具へのレールの取り付けとを手際よく短時間でできる屋根上取付具を提供する。【解決手段】レール取付具１０は、突出体４５の側方にあてがわれる押圧部１１と、押圧部１１の上方に延設され、ボルト挿通孔１３ａを有した連結部１３と、台板部１５ａおよび台板部１５ａの一側方に立設した、レール５の幅方向の一方の外壁にあてがわれる押圧突片１５ｂを有したレール設置部１５とを備える。連結部１３、１３を重ねてボルト３１、ナット３２で仮止めし、両レール取付具１０、１０がボルト３１を軸として相互に回動し得るように合体される。連結部１３、１３をボルト３１、ナット３２で連結、固定し、押圧部１１、１１を近接して突出体４５を挟持し得る一方、レール設置部１５、１５は、平面視における点対称位置に押圧突片１５ｂ、１５ｂが平行となるように配されてレール５を挟着する。【選択図】図１【図１】
0005895078.tif 000002
【図２】
0005895078.tif 000003
【図３】
0005895078.tif 000004
【図４】
0005895078.tif 000005
【図５】
0005895078.tif 000006
【図６】
0005895078.tif 000007